(57)【要約】【課題】背景映像を指定する機能を備えたマイク型楽曲伴奏器システムを提供する。【解決手段】本発明によるマイク型楽曲伴奏器システムは、複数の静止画像及び動画像を記憶するためのメモリ部と、自動モードでは、メモリ部に記憶されている静止画像及び動画像とそれぞれの楽曲伴奏とを連動させ、楽曲伴奏に応じて連動されて選択された静止画像又は動画像を背景映像として外部ディスプレーパネルへ出力し、選択モードでは、メモリ部に記憶されている静止画像及び動画像の中からユーザにより選択された静止画像又は動画像を背景映像として楽曲伴奏信号とともに外部ディスプレーパネルへ出力する制御部とを備え、ユーザが選択した楽曲と連動させて、該当楽曲を歌った歌手に関連した映像及び楽曲に関連した背景映像を提供する。【選択図】図１
2007323067.tif 000002
【特許請求の範囲】
【請求項１】
複数の静止画像及び動画像を記憶するためのメモリ部と、
自動モードでは、前記メモリ部に記憶されている静止画像及び動画像とそれぞれの楽曲伴奏とを連動させ、楽曲伴奏に応じて連動されて選択された静止画像又は動画像を背景映像として外部ディスプレーパネルへ出力し、選択モードでは、前記メモリ部に記憶されている静止画像及び動画像の中からユーザにより選択された静止画像又は動画像を背景映像として楽曲伴奏信号とともに外部ディスプレーパネルへ出力する制御部と、
を備えることを特徴とするマイク型楽曲伴奏器システム。
【請求項２】
請求項１に記載のマイク型楽曲伴奏器システムにおいて、
前記自動モード又は選択モードの選択をするためのモード選択部をさらに備えることを特徴とするマイク型楽曲伴奏器システム。
【請求項３】
請求項２に記載のマイク型楽曲伴奏器システムにおいて、
前記自動モードでは楽曲を選曲し、前記選択モードでは楽曲及び背景映像を選択するための数字及び制御ボタンをさらに備えることを特徴とするマイク型楽曲伴奏器システム。
【請求項４】
請求項１に記載のマイク型楽曲伴奏器システムにおいて、
前記背景映像は、ユーザにより選択された楽曲又は楽曲を歌った歌手に関連した静止画像又は動画像を含み、ユーザにより選択された楽曲に自動的に連動されて出力されるか、又はユーザにより選択されて出力されることを特徴とするマイク型楽曲伴奏器システム。
【請求項５】
請求項１に記載のマイク型楽曲伴奏器システムにおいて、
前記背景映像は、季節、愛、誕生日、離別、及び卒業等の楽曲主題に合うテーマ別映像、又は楽曲のリズムジャンルに合うジャンル別映像を含み、ユーザにより選択された楽曲に自動的に連動されるか、又はユーザにより選択されて出力されることを特徴とするマイク型楽曲伴奏器システム。
【請求項６】
請求項１に記載のマイク型楽曲伴奏器システムにおいて、
前記メモリ部は、複数の静止画像及び動画像を記憶するための少なくとも一つのメモリを備えることを特徴とするマイク型楽曲伴奏器システム。
【請求項７】
請求項１に記載のマイク型楽曲伴奏器システムにおいて、
前記メモリ部は、複数の静止画像及び動画像が記憶されているメモリ拡張パック又はメモリカードを挿入するための複数のスロットを備えることを特徴とするマイク型楽曲伴奏器システム。
【請求項８】
請求項１に記載のマイク型楽曲伴奏器システムにおいて、
前記メモリ部に記憶されている静止画像又は動画像のヘッド部分にタグが与えられ、前記タグの情報を用いて背景映像を選択するか、又は楽曲と連動させることを特徴とするマイク型楽曲伴奏器システム。
【請求項９】
請求項８に記載のマイク型楽曲伴奏器システム
前記制御部は、前記メモリ部に静止画像又は動画像を付加するための外部通信手段を備えることを特徴とするマイク型楽曲伴奏器システム。
【発明の詳細な説明】
【技術分野】
【０００１】
本発明は、背景映像を指定する機能を備えたマイク型楽曲伴奏器（以下、カラオケともいう）システムに関する。特に、ユーザが楽曲伴奏器を用いている間に、所望の背景映像を選択してディスプレーパネルに表示できるようにするマイク型楽曲伴奏器システムに関する。
【背景技術】
【０００２】
汎用性のある通常の楽曲伴奏器の背景映像は、静止画像と動画像とから構成されている。ユーザが楽曲伴奏器を用いて楽曲を歌う場合に、ユーザが所望する楽曲を選曲すると、その楽曲に対応して表示される背景映像は、ユーザが選択した楽曲に関係なく表示される。例えば、背景映像は、ユーザが選択した楽曲に関係なく楽曲伴奏器に記憶されている順序によってディスプレーパネルに表示されるように構成されている。
【発明の開示】
【発明が解決しようとする課題】
【０００３】
このような従来の構成は、背景映像と演奏される楽曲とが一致しないため、ユーザの興味を引くことができない、という問題点があった。
【０００４】
上記背景に鑑みて、本発明の目的は、従来の問題点を克服できる背景映像を指定する機能を備えたマイク型樂曲伴奏器システムを提供することにある。
【０００５】
本発明の他の目的は、演奏される楽曲と一致する背景映像を表示することができる背景映像を指定する機能を備えたマイク型楽曲伴奏器システムを提供することにある。
【０００６】
本発明のもう一つの目的は、ユーザによる所望する背景映像の予約、又は選択を可能にする背景映像を指定する機能を備えたマイク型楽曲伴奏器システムを提供するところにある。
【０００７】
本発明のまたさらに別の目的は、ユーザの興味を引くことができる背景映像を指定する機能を備えたマイク型楽曲伴奏器システムを提供することにある。
【課題を解決するための手段】
【０００８】
このような目的を達成するために、本発明の１つの特徴によると、複数の静止画像及び動画像を記憶するためのメモリ部と、自動モードでは、前記メモリ部に記憶されている静止画像及び動画像とそれぞれの楽曲伴奏とを連動させ、楽曲伴奏に応じて連動されて選択された静止画像又は動画像を背景映像として外部ディスプレーパネルへ出力し、選択モードでは、前記メモリ部に記憶されている静止画像及び動画像の中からユーザにより選択された静止画像又は動画像を背景映像として楽曲伴奏信号とともに外部ディスプレーパネルへ出力する制御部とを備えることを特徴とする。
【０００９】
本発明の他の特徴によると、前記マイク型楽曲伴奏器システムは、前記自動モード又は選択モードの選択のためのモード選択部をさらに備え、前記自動モードでは楽曲を選曲し、前記選択モードでは楽曲及び背景映像を選択するための数字及び制御ボタンをさらに備えることを特徴とする。
【００１０】
本発明のさらなる特徴によると、前記背景映像は、ユーザにより選択された楽曲又は楽曲を歌った歌手に関連した静止画像又は動画像が、ユーザにより選択された楽曲に自動的に連動されて出力されるか、又はユーザにより選択されて出力され、例えば、季節、愛、誕生日、離別、及び卒業といった楽曲主題に合うテーマ別映像又は楽曲のリズムジャンルに合うジャンル別映像が、ユーザにより選択された楽曲に自動的に連動されるか、又はユーザにより選択されて出力されることを特徴とする。
【００１１】
本発明のもう一つの特徴によると、前記メモリ部は、複数の静止画像及び動画像を記憶するための少なくとも一つのメモリを備え、複数の静止画像及び動画像が記憶されているメモリ拡張パック又はメモリカードを挿入するための複数のスロットを備えることを特徴とする。
【００１２】
本発明のそれ以外の特徴によると、前記メモリ部に記憶されている静止画像又は動画像のヘッド部分にタグを与え、前記タグの情報を用いて背景映像を選択するか、又は楽曲と連動させる構成を有し、前記制御部は、前記メモリ部に静止画像又は動画像を付加するための外部通信手段を備えることを特徴とする。
【発明の効果】
【００１３】
本発明によると、ユーザが楽曲のテーマ別、種類別に背景映像を選択して指定できるようにして、ユーザが所望する背景映像を鑑賞しながら楽曲を楽しむことができる。また、背景映像と演奏される楽曲とが一致する感じを与えることができるので、楽曲を歌うユーザに興味及び面白さをそそらせることができ、楽曲伴奏器の需要が高まるという長所がある。
【発明を実施するための最良の形態】
【００１４】
以下、本発明の好適な実施形態について添付図面を参照して詳細に説明する。下記説明において、本発明の要旨のみを明瞭にするために、公知の機能又は構成についての詳細な説明は省略する。なお、図面中、同一の構成要素及び部分には、可能な限り同一の符号及び番号を共通使用するものとする。
【００１５】
図１は、本発明の一実施形態におけるマイク型楽曲伴奏器システムの構成を示すブロック図である。
【００１６】
図１に示すように、本実施形態におけるマイク型楽曲伴奏器システムは、制御部１００と、モード選択部１１０と、メモリ部１２０と、数字及び制御ボタン２２とを備える。
【００１７】
制御部１００は、少なくとも２種類以上のモードで動作する。例えば、自動モード及び選択モードで動作する。
【００１８】
自動モードとは、ユーザが楽曲を選択し、一定の時間内に背景映像を選択しないか、モード選択部１１０で自動モードを選択した場合に実行される動作モードである。
【００１９】
自動モードでは、メモリ部１２０に記憶されている静止画像及び動画像とそれぞれの楽曲伴奏とを連動させ、楽曲伴奏に応じて、連動され選択された静止画像又は動画像を背景映像としてディスプレーパネル１３０へ出力する。
【００２０】
選択モードとは、ユーザが楽曲と背景映像とを選択するか、モード選択部１１０で選択モードを選択した場合に実行される動作モードである。
【００２１】
選択モードでは、メモリ部１２０に記憶されている静止画像及び動画像の中からユーザにより選択された静止画像又は動画像を背景映像として楽曲伴奏信号とともにディスプレーパネル１３０へ出力する。ディスプレーパネル１３０は、ＴＶ又はＰＣ等のモニタのような外部ディスプレー装置を含む。
【００２２】
制御部１００は、ユーザが選択した楽曲、楽曲歌詞、及び背景映像を不図示の外部スピーカ又はディスプレーパネル１３０へ送信するためのオーディオ及びビデオ信号送信モジュールを備えることができる。この場合、スピーカ又はディスプレーパネル１３０は、制御部１００から送信されるオーディオ及びビデオ信号を受信するためのオーディオ及びビデオ受信モジュールを備えることができる。
【００２３】
制御部１００の自動モード及び選択モードでの動作について詳細に説明する。
【００２４】
まず、自動モードにおいて、制御部１００は、メモリ部１２０に記憶されている静止画像又は動画像を楽曲番号と連動させ、該当する楽曲番号が演奏される際、該当する楽曲の静止画像又は動画像を背景映像としてディスプレーパネル１３０へ出力する。
【００２５】
連動方式の一つの例として、楽曲名又は楽曲歌詞に含まれている単語と記憶されている背景映像とを連動させて、該当する単語に関連した静止画像又は動画像をメモリ部１２０から検索選択して背景映像として出力できる。具体的な例で、愛又は離別の単語が楽曲名又は楽曲歌詞に複数含まれている場合を仮定すると、愛又は離別の単語に関連してメモリ部１２０に記憶されている静止画像又は動画像を検索し、検索された順序又は予め定められた順序通りに選択して背景映像を出力できる。
【００２６】
言い換えれば、メモリ部１２０に記憶されている静止画像及び動画像は、楽曲を歌った歌手別、愛、季節、離別、誕生日、及び卒業を含むテーマ別、歌謡曲等のリズムジャンル及び楽曲番号別等の多様な形態で記憶され、ユーザが選択する楽曲と連動されるように構成される。制御部１００では、ユーザにより選択された楽曲に該当する背景映像がディスプレーパネル１３０に自動的に表示されるように動作できる。
【００２７】
選択モードにおいて、制御部１００は、ユーザにより選択される背景映像をディスプレーパネル１３０へ出力する。この場合、自動モードでの連動方式に従ってユーザがテーマ別に選択できるようにするか、又は、無作為に選択できるようにする。例えば、制御部１００は、楽曲名又は楽曲歌詞に含まれている単語と記憶されている背景映像とを連動させて、ユーザが該当する単語に関連した静止画像又は動画像を背景映像として検索選択できるように検索手段を提供できる。また、制御部１００は、ユーザがテーマ別又は楽曲形態別に分類された動画像及び静止画像のうちのいずれか一つを背景映像として選択できるように動作する。
【００２８】
自動モード又は選択モードにおいて、制御部１００は、ユーザが選択した楽曲に対して、メモリ部１２０に記憶されている静止画像及び動画像が多すぎる場合には、順次に背景映像を出力するように構成されるか、又はユーザが好む上位の幾つの静止画像又は動画像を反復して背景映像として出力するように構成することができる。
【００２９】
そして、モードに関係なくユーザが所望するテーマ及び楽曲数を選択する場合には、制御部１００は該当テーマにおいて、ユーザの好みの楽曲等の順序によって楽曲伴奏及び背景映像をディスプレーできる。
【００３０】
前述のように、ユーザが自動モードで楽曲を選択するか、選択モードでユーザが楽曲及び背景映像を同時に選択し、カラオケシステムの開始ボタンを押すと、ユーザが選択した楽曲伴奏が演奏される際、ユーザが選択した背景映像がディスプレーパネルに表示されるように構成されるので、ユーザの興味を増加させることができる。
【００３１】
メモリ部１２０は、複数の静止画像及び動画像を記憶するためのもので、少なくとも一つのメモリを備えることができる。例えば、少なくとも一つ以上のＲＡＭを備えるメインメモリ、少なくとも一つ以上のＲＯＭ（例えばフラッシュメモリ）を備える記憶メモリ、データバックアップのためのバックアップメモリ等を備えることができる。
【００３２】
メモリ部１２０は、複数の静止画像及び動画像が記憶されているメモリ拡張パック又はメモリカードを挿入するための複数のスロットを備えることができる。上記メモリ拡張パックやメモリカードを用いて静止画像及び動画像の記憶が可能な場合、メインメモリ、記憶メモリ、あるいはバックアップメモリは備えなくてもよい。
【００３３】
メモリ部１２０には、楽曲を歌った歌手に関連した多様な映像、歌手の名前に関する情報、楽曲番号、リズムジャンル及び多様なテーマ別背景映像が記憶される。
【００３４】
例えば、ユーザが選択した楽曲と連動させて、選択された楽曲を歌った歌手に関連した多様な静止画像又は動画像がディスプレーパネル１３０上に表示できるように記憶される。また、選択された楽曲に該当するリズムに関連した踊り及び動作等の多様な静止画像及び動画像が多様なリズム別に整理されて記憶される。また、季節、愛、離別及び誕生日等のテーマ別に該当する楽曲に合う多様な静止画像及び動画像をユーザが所望する背景映像として選択指定できるように記憶される。
【００３５】
メモリ部１２０に記憶されている静止画像又は動画像はヘッド部分にそれぞれタグが与えられ、タグの情報を用いて背景映像を選択したり楽曲と連動されるようにする構成を有することができる。
【００３６】
モード選択部１１０は、自動モード又は選択モードを選択するためのもので、選択スイッチ又はボタンを備える。モード選択部１１０でのモード選択は、ユーザによって行われ、数字及び制御ボタン２２のボタン選択を通して行うこともできる。
【００３７】
数字及び制御ボタン２２は、自動モードでは楽曲を選曲し、選択モードでは楽曲及び背景映像を選択するためのもので、一般的なカラオケ機器に備えられるリモコン又はその他の本体に備えられる選択ボタン等を含む。
【００３８】
付加的に、本システムは、数字及び制御ボタン２２を使用して、所望する楽曲番号及び背景映像を入力するための数字及び関連する文字を入力する場合に、入力された内容が正確に入力されたか否かを確認することができるＬＣＤ等の表示部をさらに備えることができる。
【００３９】
また本システムは、ユーザが所望するか、又は好む静止画像及び動画像をさらに付加してメモリ部１２０に記憶することができるように、ＵＳＢポートのような外部通信手段をさらに備えることができる。このとき、ユーザが付加する動画像又は静止画像のヘッド部分には、ユーザが別途のタグ（Ｔａｇ）を指定して付加できるように構成できる。この場合、タグ情報を用いることで、ユーザは所望する楽曲の選曲と同時に背景映像を選択指定でき、これにより本システムは、ユーザが選択した楽曲の伴奏が出力される際、楽曲と一致する背景映像を出力することができる。
【００４０】
前述のような自動モードでの選択された楽曲に連動される背景映像の選択や選択モードでユーザが選択できるようにする動作等は、本発明に従って設計製作され、制御部１００に実現されたソフトウェアプログラムによって実行することができる。
【００４１】
図２は、図１に示したマイク型楽曲伴奏器システムの分解斜視図を示し、図３は、図１に示したマイク型楽曲伴奏器システムの外形斜視図を示す。
【００４２】
図２及び図３に示すように、本実施形態にかかるマイク型楽曲伴奏器本体１１の内部一側に背景映像が記憶されているメモリ拡張パック１８を挿入できる拡張スロット１３を備える。スロット１３は、背景映像として用いられる静止画像及び動画像が記憶されているメモリ拡張パック１８を複数挿入できるように構成することができる。
【００４３】
背景映像は、メモリ拡張パック１８だけではなく、メイン基板２３上に、又はマイクの一側にＲＡＭやＲＯＭ等のメモリチップを内蔵させる方法で記憶させることもできる。
【００４４】
メモリ拡張パック１８、メモリ拡張パック１８を挿入する拡張スロット１３、及びメモリチップ等がメモリ部１２０を構成する。
【００４５】
メモリ部１２０に隣接した内部一側には、ユーザが選択した楽曲、楽曲歌詞、及び背景映像を外部スピーカ及びディスプレーパネル１３０へ伝送するためのオーディオ及びビデオ信号送信モジュール１４及び１５を備えることができる。また本システムは、オーディオ及びビデオ信号送信モジュール１４及び１５を挿入するための拡張スロット１６及び１７を備えることができる。ここで、オーディオ及びビデオ信号送信モジュール１４及び１５と拡張スロット１６及び１７とは、制御部１００を構成する。
【００４６】
マイク型楽曲伴奏器本体１１の外部一側には、楽曲の選曲及び所望する背景映像を選択指定するための数字及び制御のための数字及び制御ボタン２２を備える。数字及び制御ボタン２２を使用して所望する楽曲番号及び背景映像を選択することができ、自動モード又は選択モードの選択が可能である。そして、背景映像を入力する場合、入力された内容が正確に入力されたか否かを確認できるＬＣＤ等の表示部２４を備え、楽曲番号及び背景映像の選択及び入力を確認できるように構成されている。
【００４７】
マイク型楽曲伴奏器本体１１は、無線又は有線方式で構成することができ、無線である場合には、バッテリ収納空間及び上記オーディオ及びビデオ信号送信モジュールを収納する空間がマイクの内部一側に形成される。
【００４８】
その他、符号１２はメモリ拡張パックの収納空間を示し、符号１９はカバーを示し、符号２０はオーディオ及びビデオ送信信号を外部に送信するためのアンテナワイヤを示し、符号２１は無線マイクに内蔵されるバッテリの収納空間を示す。
【００４９】
前述のように本発明によると、ユーザが選択した楽曲と連動させて該当楽曲を歌った歌手に関連した映像、及び楽曲に関連した背景映像を選択可能とすることによって、ユーザの興味を増加させて楽曲伴奏器の需要を大きく高めることができるという効果がある。
【００５０】
以上本発明の詳細について具体的な実施形態に基づいて説明してきたが、本発明の範囲から逸脱しない範囲内であれば、種々な変形が可能であることは言うまでもない。従って、本発明の範囲は、前記実施形態に限定されるものではなく、特許請求の範囲の記載及び該記載と均等なものにより定められるべきである。
【図面の簡単な説明】
【００５１】
【図１】本発明の一実施形態にかかるマイク型楽曲伴奏器システムの構成を示すブロック図
【図２】マイク型楽曲伴奏器システムの分解斜視図
【図３】マイク型楽曲伴奏器システムの外形斜視図
【符号の説明】
【００５２】
１１  マイク型楽曲伴奏器本体
１２  収納空間
１３  拡張スロット
１４  オーディオ信号送信モジュール
１５  ビデオ信号送信モジュール
１６  オーディオ信号送信モジュール挿入用スロット
１７  ビデオ信号送信モジュール挿入用スロット
１８  メモリ拡張パック
１９  カバー
２０  アンテナワイヤ
２１  バッテリ収納空間
２２  数字及び制御ボタン
２３  メイン基板
２４  表示部
１００  制御部
１１０  モード選択部
１２０  メモリ部
１３０  ディスプレーパネル
【図１】
2007323067.tif 000003
【図２】
2007323067.tif 000004
【図３】
2007323067.tif 000005